【事件の表示】
　特許第２８８３７０７号「カラー印刷装置の位置ずれ計測方法及びその装置」の請求項１ないし１０に係る特許に対する特許異議の申立てについて、次のとおり決定する。
【結　論】
　特許第２８８３７０７号の請求項１ないし１０に係る特許を取り消す。
【理　由】
 Ｉ．手続きの経緯
　　本件特許第２８８３７０７号は、平成２年９月２１日に特許出願され、平成１１年２月５日に設定登録され、その後、特許異議申立人　有限会社オフィスアテナ、及び特許異議申立人　梅沢　靖幸よりそれぞれ特許異議申立てがなされ、取消理由通知がなされたところ、その指定期間内である平成１３年５月１日に訂正請求がなされた。これに対し、訂正拒絶理由が通知されたところ、平成１３年７月２４日付で意見書が提出されたものである。
II．訂正の適否
１．訂正の内容
　前記平成１３年５月１日付訂正請求の請求の趣旨は、本件特許明細書を請求書に添付した訂正明細書のとおり次のように訂正することを求めるものである。
（ａ）訂正事項ａ：特許第２８８３７０７号明細書（以下、「特許明細書」という。）中の特許請求の範囲の請求項１−１２において、請求項１−５、７−１０を削除する。
（ｂ）訂正事項ｂ：上記訂正事項ａに伴って、特許時の請求項６を、項数を繰り上げて、訂正後の特許請求の範囲の請求項１とし、以下の通り訂正する。
「【請求項１】各々記録色の異なる複数の記録ユニット（１０〜１３）により，記録体（ＰＰ）にカラー印刷を行うカラー印刷装置において，該記録体（ＰＰ）の各色の記録パターンを読取るパターン読取器（１９）を設け，該記録体（ＰＰ）に該複数の記録ユニット（１０〜１３）により，各記録色で計測パターンを記録し，該パターン読取器（１９）で該記録体（ＰＰ）上の各色の計測パターンを読取り，読取った各色の計測パターンの位置を制御手段（２０）で計測し，計測位置情報を得るようにしたことを特徴とするカラー印刷装置の位置ずれ計測方法であって，前記制御手段（２０）は，オペレータが操作パネルから行う記録位置調整モード指示に応じて，前記各記録ユニット（１０〜１３）に前記計測パターンの記録を行なわしめることを特徴とするカラー印刷装置の位置ずれ計測方法。」
（ｃ）訂正事項ｃ
　　上記訂正事項ａに伴って、特許時の請求項１１及び請求項１２を、項数を繰り上げて、訂正後の特許請求の範囲の請求項２及び請求項３とする。
（ｄ）訂正事項ｄ
　特許明細書の第４頁１７行目「概要」と、第５頁１０行目乃至第６頁第６行目を削除する。
（ｅ）訂正事項ｅ
　特許明細書の第８頁第１４行目乃至第９頁第１７行目を削除し、特許明細書の第９頁第１８行目「本発明の請求項（６）では、請求項（１）において」を「本発明の請求項（１）では，各々記録色の異なる複数の記録ユニット１０〜１３により，記録体 ＰＰ にカラー印刷を行うカラー印刷装置において，該記録体 ＰＰの各色の記録パターンを読取るパターン読取器１９を設け，該記録体ＰＰに該複数の記録ユニット１０〜１３により，各記録色で計測パターンを記録し，該パターン読取器１９で該記録体ＰＰ上の各色の計測パターンを読取り，読取った各色の計測パターンの位置を制御手段２０で計測し，計測位置情報を得るようにした位置ずれ計測方法であって」と訂正する。
　特許明細書の第１１頁第４行目「本発明の請求項（１１）では、請求項（７）において」を「本発明の請求項（２）では，各々記録色の異なる複数の記録ユニット１０〜１３により，記録体ＰＰにカラー印刷を行うカラー印刷装置において，該記録体ＰＰに該複数の記録ユニット１０〜１３により，各記録色で計測パターンを記録せしめる制御手段２０と，該記録体ＰＰ上の各色の計測パターンを読取るパターン読取器１９とを設け，該制御手段２０が，読取った各色の計測パターンの位置を計測し，計測位置情報を得ることを特徴としているカラー印刷装置の位置ずれ計測装置であって」と訂正する。
　特許明細書の第１１頁第８行目「本発明の請求項（１２）では、請求項（７）において」を「本発明の請求項（３）では，各々記録色の異なる複数の記録ユニット１０〜１３により，記録体ＰＰにカラー印刷を行うカラー印刷装置において，
該記録体ＰＰに該複数の記録ユニット１０〜１３により，各記録色で計測パターンを記録せしめる制御手段２０と，該記録体ＰＰ上の各色の計測パターンを読取るパターン読取器１９とを設け，該制御手段２０が，読取った各色の計測パターンの位置を計測し，計測位置情報を得ることを特徴としているカラー印刷装置の位置ずれ計測装置であって」と訂正する。
（ｆ）訂正事項ｆ
　特許明細書第１１頁１３行目乃至第１２頁８行目までを削除し、特許明細書第１１貢９行目「本発明の請求項（６）、（１０）では」を「本発明の請求項（１）では」と訂正する。
　特許明細書第１２頁１２行目乃至第１４行目を削除し、特許明細著第１２頁第１５行目「本発明の請求項（１１）、（１２）では」を「本発明の請求項（２）、（３）では」とする。
２．訂正の適否についての判断
訂正事項ａについて、特許請求の範囲の請求項を削除する訂正であり、特許請求の範囲の減縮に該当する。
訂正事項ｂについて、特許請求の範囲の請求項６の内容を限定するものであって、特許請求の範囲の減縮に該当する。
訂正事項ｃ〜ｆについて、訂正事項ａ〜ｂの訂正に伴い生じる不明瞭な記載を訂正するためのものであり、不明瞭な記載の釈明に該当する。
　そして、上記訂正事項ａ〜ｆは、願書に添付した明細書又は図面に記載した事項の範囲内においてなされたものであり、かつ、実質上特許請求の範囲を拡張し、又は変更するものではない。
（独立特許要件について）
【１】訂正明細書の請求項１に係る発明
　訂正明細書の特許請求の範囲の請求項１に係る発明（以下、「訂正発明」という。）は、その特許請求の範囲の請求項１に記載された次のとおりのものである。
「【請求項１】各々記録色の異なる複数の記録ユニット（１０〜１３）により，記録体（ＰＰ）にカラー印刷を行うカラー印刷装置において，
該記録体（ＰＰ）の各色の記録パターンを読取るパターン読取器（１９）を設け，
該記録体（ＰＰ）に該複数の記録ユニット（１０〜１３）により，各記録色で計測パターンを記録し，該パターン読取器（１９）で該記録体（ＰＰ）上の各色の計測パターンを読取り，
読取った各色の計測パターンの位置を制御手段（２０）で計測し，計測位置情報を得るようにしたことを特徴とするカラー印刷装置の位置ずれ計測方法であって，
前記制御手段（２０）は，オペレータが操作パネルから行う記録位置調整モード指示に応じて，前記各記録ユニット（１０〜１３）に前記計測パターンの記録を行なわしめることを特徴とするカラー印刷装置の位置ずれ計測方法。」
【２】引用刊行物記載の発明
　訂正発明に対し、当審が訂正拒絶理由通知において示した刊行物１（特開昭５８一１７３６７４号公報）には、以下のことが記載されている。
「本発明は、複数色調のインクをノズル別に噴射するカラーインクジェットプリンタなど、複数個記録手段を備えた記録装置に関し」（第１頁左欄１１〜１３行）
 「まず、本発明を適用したカラーインクジェットプリンタの概略構成の外観を第１図に示す。…・キヤリツジ１上に、・・・・第１〜第４のマルチノズルヘッド２−１〜２−４を配列して設け、シアンＣ、マゼンタ Ｍ、イエロＹおよび黒Ｋ各色のインクをそれぞれ突出させ、それらの各ノズルヘッドには、・・・・インクリザーバ４から各色のインクを供給する ・・。かかる構成７　のキヤリツジ１を …・図中Ｘ方向に往復走行させることにより主走査を行なうとともに、・…記録用紙 １１を…・図中Ｙ方向に供給して副走査を行ない、記録用紙１１上に各マルチノズルヘッド２−１〜２−４から噴射した各色インクによりカラー画像を記録する。」（第２頁右上欄１行〜左下欄２行）
「キヤリツジ１上にセンサ１５ を設けて各ノズルヘッド２−１〜２−４による記録像を主走査方向に走査して検知するとともに、ローラ対１３ より記録用紙１１ の送給方向に離隔してセンサ１６ を配置し、記録像を副走査方向に走査して検知するように構成してある。」（第２頁左下欄７〜１２行）
「かかる相対位置ずれの検出を行なうべき画像の記録については、…シアンＣ、マゼンタＭ、イエ口Ｙおよび黒の各色インクをそれぞれ噴射する第１〜第４の各ヘッド２８一１〜２８一４をそれぞれ駆動して・・・・記録用紙 １１ 上に記録する。」（第２頁右下欄１１行〜第３頁左上欄５行）
「本発明によるカラーインクジエツトプリンタの回路構成の例を第２図に示す。図示の回路構成においては、第１図示の構成配置における主・副両走査方向にそれぞれ配置した読取りセンサ １５、１６ をクロツク発生回路 ２０ からのクロツク信号により作動するセンサ駆動回路 ２１ により駆動して記録用紙１１上の記録画像を読取らせ、増幅回路１７を介し多値化回路１８に供給して多値符号化した読取り画像信号を位置ずれ検出回路 １９ に供給するとともに、クロツク発生回路 ２０ からのクロツク信号を計数して記録画像の読取り領域を判定する読取り領域判定回路 ２２ からの読取り領域判定信号をその位置ずれ検出回路 １９ に供給し、後述するようにして各ノズルヘッド２−１〜２−４による各記録画像の相対位置ずれの方向および大きさを検出する。」（第２頁左下欄１６行〜同頁右下欄１１行）
「なお、位置ずれ検出回路１９ からの基準パターンの相対位置ずれ情報は、出力端子から取出して、表示器（図示せず）に、相互間に位置のずれを生じた基準パターン像、あるいは、基準パターン波形の形態にてアナログ表示し、もしくは、数値データの形態にてデイジタル表示してもよい。」（第３頁左上欄１３〜１８行）
「…テスト用の基準パターンを形成する基準パターン発生回路２３ からの基準パターン信号を各切換えスイッチ ２５−１〜２５−４をそれぞれ介してバッファメモリ２６−１〜２６−４にそれぞれ一旦記憶させ・…シアンＣ、マゼンタＭ、イエロＹおよび黒Ｋの各色インクをそれぞれ噴射する第１〜第４の各ヘッド２８−１〜２８−４をそれぞれ駆動し・・・・基準パターンを記録用紙１１上に記録する。」（第２頁右下欄１１行〜第３頁左上欄５行）
「このようにして記録した各基準パターンの相対位置ずれの検出結果に基づいて相対位置を正　確に調整した各ヘッド２８−１〜２８−４には、各スイッチ ２５−１〜２５−４をそれぞれ切換えて、画像入力部 ２４ からの各色画像信号をそれぞれ供給して、相対位置にずれのない各色記録像の組合わせによる多色のカラー画像を記録用紙上に記録することができる。」（第３頁左上欄５〜１２行）
　以上の記載を図面を参酌しながら勘案し、
・駆動回路中には基準パターンの相対位置ずれを計測する位置ずれ検出回路１９が含まれていること、
・駆動回路は、各ノズルヘッド２−１〜２−４に基準パターンの記録を行わせていること、
を考慮すると、刊行物１には次の発明が記載されていることになる。
　各々記録色の異なるノズルヘッド２−１〜２−４により，記録用紙１１にカラー印刷を行うカラーインクジェットプリンタにおいて，該記録用紙１１の各色の基準パターンを読取る読取センサ１５を設け，該記録用紙１１に該ノズルヘッド２−１〜２−４により，各記録色で基準パターンを記録し，該読取センサ１５で該記録用紙１１上の各色の基準パターンを読取り，読取った各色の基準パターンの相対位置ずれを駆動回路中の位置ずれ検出回路１９で計測し，相対位置ずれの方向及び大きさを得るようにしたカラーインクジェットプリンタの位置ずれ計測方法であって、前記駆動回路は、前記各ノズルヘッド２−１〜２−４に前記基準パターンの記録を行わせるようにしたカラーインクジェットプリンタの位置ずれ計測方法。」（以下、「刊行物１に記載された発明」という。）。
【３】対比
　そこで、訂正発明と刊行物１に記載された発明とを対比すると、刊行物１に記載された発明における「駆動回路」、「駆動回路中の位置ずれ検出回路１９」は、いずれも訂正発明における「制御手段」に相当し、また、刊行物１に記載された発明における
「ノズルヘッド２−１〜２−４」、「記録用紙１１」、「カラーインクジェットプリンタ」、「基準パターン」、「読取センサ１５」、「相対位置ずれ」、「相対位置ずれの方向及び大きさ」
は、訂正発明における、
「複数の記録ユニット（１０〜１３）」、「記録体（ＰＰ）」、「カラー印刷装置」、「記録パターン」、「パターン読取器（１９）」、「位置」、「計測位置情報」
に相当し、両者は、
　各々記録色の異なる複数の記録ユニットにより，記録体にカラー印刷を行うカラー印刷装置において，該記録体の各色の記録パターンを読取るパターン読取器を設け，該記録体に該複数の記録ユニットにより，各記録色で計測パターンを記録し，該パターン読取器で該記録体上の各色の計測パターンを読取り，読取った各色の計測パターンの位置を制御手段で計測し，計測位置情報を得るようにしたカラー印刷装置の位置ずれ計測方法であって、前記制御手段は、前記各記録ユニットに前記計測パターンの記録を行わせるようにしたカラー印刷装置の位置ずれ計測方法、
で一致し、次の点で相違する。
１．訂正発明では、オペレータが操作パネルから行う記録位置調整モード指示に応じて、制御手段が各記録ユニット（１０〜１３）に計測パターンの記録を行なわせているに対し、刊行物１に記載された発明では、制御手段が各記録ユニットに計測パターンの記録を行なわせる構成を有するものの、位置調整モードへの移行をオペレータの指示に応じて行っているのか否か、明記されていない点。
【４】当審の判断
　そこで、前記相違点１につき、以下に検討する。
　印刷装置において、装置各部の電圧や装置各部の位置に関する様々なパラメータ値を調整する必要のあることはよく知られており、該調整を行うべく、オペレータが操作して装置を調整モードに移行させることは、普通に行われていることである（例えば、特開平１−２５５８６７号公報、第１０頁右上欄の記載参照）。
　してみると、刊行物１に記載された発明において、装置調整における一ステップである「記録ユニットに計測パターンの記録を行わせる」ステップを実行するべく、オペレータの操作により、装置を調整モードに移行させる構成とすることは、当業者が容易に想到し得るところと認められる。
　この点について、特許権者は、平成１３年７月２４日付意見書において、「オペレータが、必要とする任意のタイミングで、操作パネルから位置ずれの調整を指示することで、位置ずれ計測を行うための計測パターンの記録を実行できる」結果、「これにより、正確、容易に位置ずれ調整を行うことができる、オペレータに対して利便性を向上した有益なカラー印刷装置を提供できるという格別な効果を奏する」旨、主張しているが、このような作用効果は、周知技術を刊行物１に施すことにより、当然予測し得ることに過ぎず、格別のものではない。
【５】むすび
　以上のとおりであるから、訂正発明は、前記刊行物１に記載された発明及び周知技術に基づいて当業者が容易に発明をすることができたものであり、特許法第２９条第２項の規定により特許出願の際独立して特許を受けることができないものであるから、本件訂正請求は、特許法等の一部を改正する法律（平成６年法律第１１６号）附則第６条第１項の規定によりなお従前の例によるとされる、平成１１年改正前の特許法第１２０条の４第３項で準用する平成６年法律第１１６号による改正前の特許法第１２６条第３項の規定に違反するので、当該訂正請求は認められない。
III．特許異議申立てについての判断
【１】本件発明
　本件請求項１乃至請求項１０に係る発明の要旨は、特許明細書又は図面の記載からみてその特許請求の範囲の請求項１乃至請求項１０に記載された次のとおりのものと認める。
［請求項１］
 　各々記録色の異なる複数の記録ユニット（１０〜１３）により、記録体（ｐｐ）にカラー印刷を行うカラー印刷装置において、
該記録体（ｐｐ）の各色の記録パターンを読み取るパターン読取器（１９）を設け、
該記録体（ｐｐ）に複数の記録ユニット（１０〜１３）により、各記録色で計測パターンを記録し、
該パターン読取器（１９）で該記録体（ｐｐ）上の各色の計測パターンを読取り、
読取った各色の計測パターンの位置を制御手段（２０）で計測し、計測位置情報を得るようにしたことを特徴とするカラー印刷装置の位置ずれ計測方法。
［請求項２］
 　前記計測位置情報を表示手段（２１）で表示することを特徴とする請求項１記載のカラ ー印刷装置の位置ずれ計測方法。
 [請求項３]
 　前記計測位置情報は、各記録ユニット（１０〜１３）の記録傾き量と主走査方向の位置ずれ量であることを特徴とする請求項（１）記載のカラー印刷装置の位置ずれ計測方法。
 [請求項４]
 　前記計測パターンが、横線と縦線を組合せたパターンであることを特徴とする請求項（３） 記載のカラー印刷装置の位置ずれ計測方法。
 [請求項５]
 　前記計測パターンが、横線と斜め線を組合わせたパターンであることを特徴とする請求項（３）記載のカラー印刷装置の位置ずれ計測方法。
 [請求項６]
 　前記制御手段（２０）が、記録位置調整モード指示に応じて、前記各記録ユニット（１０〜１３）に前記計測パターンの記録を行わしめることを特徴とする請求項（１）記載のカラー印刷装置の位置ずれ計測方法。　
 [請求項７]
 　各々記録色の異なる複数の記録ユニット（１９〜１３）により、記録体（ＰＰ）にカラー印刷を行うカラー印刷装置において、
該記録体（ＰＰ）に複数の記録ユニット（１０〜１３）により、各記録色で計測パターンを記録せしめる制御手段（２０）と、
該記録体（ＰＰ）上の各色の計測パターンの位置を読取るパターン読取器（１９）とを設け、該制御手段（２０）が、読取った各色の計測パターンの位置を計測し、計測位置情報を得ることを特徴とするカラー印刷装置の位置ずれ計測装置。
 [請求項８]
 　前記計測位置情報を表示する表示手段（２１）を設けたことを特徴とする請求項（７）記載のカラー印刷装置の位置ずれ計測装置。
 [請求項９]
 　前記表示手段（２１）を前記カラー印刷装置に設けたことを特徴とする請求項（８）記載のカラー印刷装置の位置ずれ計測装置。
 [請求項１０]
 　前記制御手段（２０）は記録位置調整モード指示に応じて、前記各記録ユニット（１０〜１３）に前記計測パターンの記録を行なわしめることを特徴とする請求項（７）記載のカラー印刷装置の位置ずれ計測装置。
【２】引用刊行物記載の発明
（１）刊行物１について
　当審が通知した取消理由に引用した刊行物１（特開昭５８一１７３６７４号公報）には、次の発明が記載されている。
（刊行物１に記載された発明１）
　各々記録色の異なるノズルヘッド２−１〜２−４により，記録用紙１１にカラー印刷を行うカラーインクジェットプリンタにおいて，
該記録用紙１１の各色の基準パターンを読取る読取センサ１５を設け，
該記録用紙１１に該ノズルヘッド２−１〜２−４により，各記録色で基準パターンを記録し，
該読取センサ１５で該記録用紙１１上の各色の基準パターンを読取り，
読取った各色の基準パターンの相対位置ずれを駆動回路中の位置ずれ検出回路１９で計測し，相対位置ずれの方向及び大きさを得るようにしたカラーインクジェットプリンタの位置ずれ計測方法（以下、「刊行物１に記載された発明１」という。）。
　また、刊行物１には相対位置ずれ情報を表示器に表示する旨、記載されている（第３頁左上欄１３行〜１８行）から、次の発明が記載されていることになる。
（刊行物１に記載された発明２）
前記相対位置ずれの方向及び大きさを表示器で表示するようにした刊行物１に記載された発明１のカラーインクジェットプリンタの位置ずれ計測方法（以下、「刊行物１に記載された発明２」という。）。
　また、刊行物１には次の発明３，４が記載されていることになる。
（刊行物１に記載された発明３）
　各々記録色の異なるノズルヘッド２−１〜２−４により，記録用紙１１にカラー印刷を行うカラーインクジェットプリンタにおいて，
該記録用紙１１に複数のノズルヘッド２−１〜２−４により、各記録色で基準パターンを記録せしめる駆動回路と、
該記録用紙１１上の各色の基準パターンの位置を読み取る読取センサ１５とを設け、該駆動回路が、読み取った各色の基準パターンの位置を読み取る読取センサ１５とを設け、該駆動回路が、読み取った各色の基準パターンの位置を計測し、相対位置ずれの方向及び大きさを得るようにしたカラーインクジェットプリンタの位置ずれ計測装置。
（刊行物１に記載された発明４）
　前記相対位置ずれの方向及び大きさを表示する表示器を設けた刊行物１に記載された発明３のカラーインクジェットプリンタの位置ずれ計測装置。
（２）刊行物２について
　当審が通知した取消理由に引用した刊行物２（特開昭５９−１０５６６０号公報）には、次の事項が記載されている。
「本発明による整合手段は、記録媒体上の合成カラー像の領域外に整列された追跡用潜在インデックスを形成し、次いで追跡用インデックスを現像して可視状態とする記録手段を記録ステーションに含む。」（第６頁右上欄３行〜７行）、
「記録媒体の搬送に関連した手段は光電的に追跡用整列インデックスを検知し、装置で取扱われている記録媒体の縦横両方向における寸法の情報を表わした電気信号を与え、これによって成分潜像の縦横両方向に沿った調整を行う。」（第６頁右上欄１１行〜１５行）、
「媒体の表面１７がヘッド４８及び書込み電極５０から離反しているとき、センサＸ、 Ｘ´、Ｙ、Ｙ´と関連の信号処理回路がインデックスをモニタ−し、ヘッド４８の横つまりＹ方向位置決め、媒体１６のＹ軸に沿ったヘッド４８の角度回転つまりシータ（θ）位置決め等の各種装置機能用の情報を与える。」（第９頁右下欄７〜１３行）
 「媒体１６の粗Ｙ調整つまりヘッド４ ８に対する媒体位置の横方向調整は、」（第１０頁右下欄１５〜１６行）
以上の記載を図面を参酌しつつ勘案すると、刊行物２には次の発明が記載されていることになる。
追跡用整列インデックスをモニターした信号は、ヘッド４８のＹ方向位置決め、ヘッド４８の角度回転であるカラー電子写真装置の位置ずれ測定方法。
【３】対比、判断
（本件請求項１に係る発明）
　請求項１に係る発明と刊行物１に記載された発明１とを対比すると、両者に差異はなく、本件請求項１に係る発明は、刊行物１に記載された発明と同一である。
（本件請求項２に係る発明）
　請求項２に係る発明と刊行物１に記載された発明２とを対比すると、刊行物１に記載された発明２における「表示器」は請求項２に係る発明における「表示手段」に相当するから、両者に差異はなく、本件請求項２に係る発明は、刊行物１に記載された発明２と同一である。
（本件請求項３に係る発明）
請求項３に係る発明と刊行物１に記載された発明１とを対比すると、請求項３に係る発明における計測位置情報は、各記録ユニット（１０〜１３）の記録傾き量と主走査方向の位置ずれ量である点で、刊行物１に記載された発明１とは相違するが、刊行物２には、追跡用整列インデックスをモニターした信号（「計測位置情報」に相当）は、ヘッド４８（「記録ユニット」に相当）のＹ方向位置決め（「主走査方向の位置ずれ量」に相当）、ヘッド４８の角度回転（「記録傾き量」に相当）であるカラー電子写真装置（「カラー印刷装置」に相当）の位置ずれ測定方法、が記載されており、請求項３に係る発明は、刊行物１に記載された発明１に刊行物２に記載された発明を施すことにより、当業者が容易になし得たものである。
（本件請求項４に係る発明）
　横線と縦線を組み合わせた計測パターンは周知であり（例えば、特開平１−１４２６７３号公報、米国特許第４００７４８９号明細書参照）、請求項４に係る発明は、刊行物１に記載された発明１において、計測パターンとして周知の横線と縦線を組み合わせた計測パターンを用いたに過ぎない。
（本件請求項５に係る発明）
　横線と斜め線を組み合わせた計測パターンは周知であり（例えば、特開昭５４−９９６４１号公報、特開昭６３−２８６８６４号公報参照）、請求項５に係る発明は、刊行物１に記載された発明１において、計測パターンとして周知の横線と斜め線を組み合わせた計測パターンを用いたに過ぎない。
（本件請求項６に係る発明）
　請求項６に係る発明と、刊行物１に記載された発明１とを対比すると、両者は、
　各々記録色の異なる複数の記録ユニットにより，記録体にカラー印刷を行うカラー印刷装置において，該記録体の各色の記録パターンを読取るパターン読取器を設け，該記録体に該複数の記録ユニットにより，各記録色で計測パターンを記録し，該パターン読取器で該記録体上の各色の計測パターンを読取り，読取った各色の計測パターンの位置を制御手段で計測し，計測位置情報を得るようにしたカラー印刷装置の位置ずれ計測方法、
で一致し、
請求項６に係る発明では、「制御手段（２０）が、記録位置調整モード指示に応じて、前記各記録ユニット（１０〜１３）に前記計測パターンの記録を行わしめる」点で、刊行物１に記載された発明１とは相違するが、この点に対する判断は「II．２．【４】当審の判断」における判断と同様である。
（本件請求項７に係る発明）
　本件請求項７に係る発明と刊行物１に記載された発明３とを対比すると、両者に差異はなく、本件請求項７に係る発明は刊行物１に記載された発明３と同一である。
（本件請求項８に係る発明）
　本件請求項８に係る発明と刊行物１に記載された発明４とを対比すると、両者に差異はなく、本件請求項８に係る発明は刊行物１に記載された発明４と同一である。
（本件請求項９に係る発明）
本件請求項９に係る発明と刊行物１に記載された発明４とを対比すると、請求項９に係る発明では、表示器をカラー印刷装置に設けてあるに対し、刊行物１に記載された発明４では、表示器をどこに設けてあるのか明記されていない点で相違するが、表示器を有するカラー印刷装置は周知である（特開平１−１１８８６４号公報、部材８参照）以上、刊行物１に記載された発明４において、表示器をカラー印刷装置に設けることは、当業者が容易に想到し得るところと認められる。
（本件請求項１０に係る発明）
請求項１０に係る発明と、刊行物１に記載された発明３とを対比すると、
請求項１０に係る発明では、「制御手段（２０）が、記録位置調整モード指示に応じて、前記各記録ユニット（１０〜１３）に前記計測パターンの記録を行わしめる」点で、刊行物１に記載された発明１とは相違するが、この点に対する判断は「II．２．【４】当審の判断」における判断と同様である。　
　
【４】むすび
　以上のとおりであるから、
請求項１、２、７、８に係る発明は、刊行物１に記載された発明と同一であり、
請求項３に係る発明は刊行物１及び刊行物２に記載された発明に基づいて当業者が容易に発明をすることができたものと認められ、
請求項４、５、６、９、１０に係る発明は刊行物１に記載された発明及び周知事項に基づいて当業者が容易に発明をすることができたものと認められるので、旧特許法第２９条第１項第３号又は同条第２項の規定により特許を受けることができないから、本件請求項１〜１０に係る特許は拒絶の査定をしなければならない特許出願に対してされたものである。
　したがって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月３０日（２００２．１０．３０）